(57)【特許請求の範囲】
【請求項１】
所定の周期で被写体像を繰り返し撮像し、それによって得られた複数の画像を加算演算して加算画像を生成する加算演算部と、
手動操作部材と、
上記繰り返し撮像動作の実行中に上記手動操作部材の操作に応じて、上記加算画像に該加算画像を加算する回数を増減することにより、未来のタイミングにおける加算画像をシミュレートした画像を生成するシミュレーション画像生成部と、
上記シミュレーション画像を表示する画像表示部と、
を具備したことを特徴とする撮像装置。
【請求項２】
上記画像表示部は、上記シミュレーション画像の表示又は上記加算画像の表示をするものであり、上記シミュレーション画像を表示中は上記加算画像を表示せず、上記シミュレーション画像の表示が終了した後に、最新の加算画像を表示することを特徴とする請求項１に記載の撮像装置。
【請求項３】
上記画像表示部は、上記シミュレーション画像と共に、そのシミュレーション画像の未来のタイミングを表示することを特徴とする請求項１に記載の撮像装置。
【請求項４】
所定の周期で被写体像を繰り返し撮像し、それによって得られた複数の画像を加算演算して加算画像を生成し、
上記繰り返し撮像動作の実行中に手動操作部材の操作に応じて、上記加算画像に該加算画像を加算する回数を増減することにより、未来のタイミングにおける加算画像をシミュレートしたシミュレーション画像を生成し、上記シミュレーション画像を表示することを特徴とする撮像装置の制御方法。
【請求項５】
上記撮像装置の制御方法はさらに上記加算画像を表示するものであり、上記シミュレーション画像の表示が終了した後に、最新の加算画像を表示することを特徴とする請求項４に記載の撮像装置の制御方法。
【請求項６】
上記シミュレーション画像の表示の際に合わせてそのシミュレーション画像の未来のタイミングを表示することを特徴とする請求項４に記載の撮像装置の制御方法。
【発明の詳細な説明】
【技術分野】
【０００１】
本発明は、撮像装置および撮像装置の制御方法に関し、詳しくは、バルブ撮影等の長時間撮影において露光の進展度に応じた被写体画像を表示可能な撮像装置および撮像装置の制御方法に関する。
【背景技術】
【０００２】
一般に、星空や花火、夜景等の被写体を撮影する場合にはバルブ撮影を利用することが多い。ただ、バルブ撮影は撮影対象や周囲条件に応じて適切な露光秒時（シャッタ開からシャッタ閉までの時間）が様々であり、撮影者は自身の判断で出来上がりの画像を見ることなく、露光時間を決めなければならなかった。そのため、その判断を誤ると露光不足、露光過多になってしまうという問題があった。
【０００３】
そこで、バルブ撮影等の際に、露光に応じて撮影画像を観察できると、リアルタイムで露光レベルを観察することができ、露光時間の判断が容易になる。例えば、特許文献１には、撮像動作中に、所定の時間間隔(例えば、１／１０秒)で撮像素子から画素信号を取り出し、順次加算した画像を液晶モニタに表示する撮像装置が開示されている。
【特許文献１】特開２００５−１１７３９５号公報
【発明の開示】
【発明が解決しようとする課題】
【０００４】
特許文献１に記載の撮像装置によれば、露光の進み具合を確認することができるので、バルブ撮影でも大きな失敗を防ぐことができる。しかし、バルブ撮影は長時間の露光の場合が多く、露光時間の予測が立てにくいため、露光の進み具合を把握できても、撮像装置の脇で付きっきりで撮影をしなければならないという不都合があった。
【０００５】
本発明は、このような事情を鑑みてなされたものであり、バルブ撮影等の長時間露出において、露光時間の予測を立てられやすい撮像装置および撮像装置の制御方法を提供することを目的とする。
【課題を解決するための手段】
【０００６】
上記目的を達成するため第１の発明に係わる撮像装置は、所定の周期で被写体像を繰り返し撮像し、それによって得られた複数の画像を加算演算して加算画像を生成する加算演算部と、撮像装置において、手動操作部材と、上記繰り返し撮像動作の実行中に上記手動操作部材の操作に応じて、上記加算画像に該加算画像を加算する回数を増減することにより、未来のタイミングにおける加算画像をシミュレートした画像を生成するシミュレーション画像生成部と、上記シミュレーション画像を表示する画像表示部と、を具備する。
【０００７】
第２の発明に係わる撮像装置は、上記第１の発明において、上記画像表示部は、上記シミュレーション画像の表示又は上記加算画像の表示をするものであり、上記シミュレーション画像を表示中は上記加算画像を表示せず、上記シミュレーション画像の表示が終了した後に、最新の加算画像を表示する。
第３の発明に係わる撮像装置は、上記第１の発明において、上記画像表示部は、上記シミュレーション画像と共に、そのシミュレーション画像の未来のタイミングを表示する。
【０００８】
第４の発明に係わる撮像装置の制御方法は、所定の周期で被写体像を繰り返し撮像し、それによって得られた複数の画像を加算演算して加算画像を生成し、上記繰り返し撮像動作の実行中に手動操作部材の操作に応じて、上記加算画像に該加算画像を加算する回数を増減することにより、未来のタイミングにおける加算画像をシミュレートしたシミュレーション画像を生成し、上記シミュレーション画像を表示する。
【０００９】
第５の発明に係わる撮像装置の制御方法は、上記第４の発明において、さらに上記加算画像を表示するものであり、上記シミュレーション画像を表示中は上記加算画像を表示せず、上記シミュレーション画像の表示が終了した後に、最新の加算画像を表示する。
第６の発明に係わる撮像装置の制御方法は、上記第４の発明において、上記シミュレーション画像の表示の際に合わせてそのシミュレーション画像の未来のタイミングを表示する。
【発明の効果】
【００１０】
本発明によれば、バルブ撮影等の長時間露出において、未来のタイミングにおけるシミュレーション画像を表示することができることから、露光時間の予測を立てられやすい撮像装置および撮像装置の制御方法を提供することができる。
【発明を実施するための最良の形態】
【００１１】
以下、図面に従って本発明を適用したデジタル一眼レフカメラを用いて好ましい一実施形態について説明する。図１は、本発明の一実施形態に係るデジタル一眼レフカメラについて背面からみた外観斜視図である。
【００１２】
このデジタル一眼レフカメラは、カメラ本体２００と交換レンズ１００とから構成されている。カメラ本体２００の上面にはレリーズ釦２１、撮影モードダイヤル２２、情報設定ダイヤル２４、ストロボ５０等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピント合わせ、被写体輝度の測光等の撮影準備動作を行い、第２レリーズスイッチ（以下、２Rと称する）のオンによりカメラは撮像素子２２１（図２参照）の出力に基づいて被写体像の画像データの取り込みを行う撮影動作を実行する。
【００１３】
撮影モードダイヤル２２は回転可能に構成された操作部材であり、撮影モードダイヤル２２上に設けられた撮影モードを表す絵表示または記号を指標に合致させることにより、プログラム撮影モード（Ｐ）、絞り優先撮影モード（Ａ）、シャッタ撮影優先モード（Ｓ）、マニュアル撮影モード（Ｍ）、バルブモード（Ｂ）等の各撮影モードを選択することができる。
【００１４】
情報設定ダイヤル２４は回転可能に構成された操作部材であり、情報表示画面等において、情報設定ダイヤル２４の回転操作により所望の設定値やモード等を選択することができる。バルブモードが設定されたときには、露光中の画像表示の更新時間の設定を行うことができる。また、バルブモードが設定され、かつバルブ撮影を行っている際に、情報設定ダイヤル２４を回転操作することにより、シミュレーション画像の時間的な送りや戻し動作を行うことができる。ストロボ５０は、ポップアップ式の補助照明装置であり、図示しない操作釦を操作することにより、ストロボ５０がポップアップし被写体に対して照射可能となる。
【００１５】
カメラ本体２００の背面には、液晶モニタ２６、連写／単写釦２７、ＡＦロック釦２８、アップ用十字釦３０Ｕ、ダウン用十字釦３０Ｄ、右側釦３０Ｒ、左側釦３０Ｌ（これらの各十字釦３０Ｕ、３０Ｄ、３０Ｒ、３０Ｌを総称する際には、十字釦３０と称する）、ＯＫ釦３１、ライブビュー表示釦３３、拡大釦３４、メニュー釦３７、再生釦３８が配置されている。液晶モニタ２６は、ライブビュー表示を行い、また、撮影済みの被写体像を再生表示し、撮影情報やメニューを表示するための表示装置である。また、バルブ撮影時には、露光動作中に撮像素子２２１によって取得した画像信号に基づいて画像を表示する。これらの表示を行うことができるものであれば、液晶に限らない。
【００１６】
連写／単写釦２７は、レリーズ釦２１が全押しされている間は連続して撮影する連写モードと、レリーズ釦２１が全押しされると、１駒、撮影する単写モードのモード切り換え用の操作部材である。ＡＥロック釦２８は、測光値を固定するための操作部材である。これによって、撮影対象の輝度を測定した後、このＡＥロック釦２８を操作すると、構図を変更しても測光値が保持され、露光レベルが変化しないで撮影を行うことができる。
【００１７】
十字釦３０は液晶モニタ２６上で、Ｘ方向とＹ方向の２次元方向にカーソルの移動を指示するための操作部材であり、また、記録媒体２７７に記録された被写体像を再生表示するにあたって、被写体像の選択指示にも使用する。なお、アップ、ダウン、左、右用の４つの釦を設ける以外にも、タッチスイッチのように２次元上で操作方向を検出できるスイッチ等、２次元方向に操作できる操作部材に置き換えることも可能である。
【００１８】
また、バルブモードが設定され、かつバルブ撮影を行っている際に、十字釦３０の右側釦３０Ｒを操作することにより、シミュレーション画像の時間的な送り動作を行い、また左側釦３０Ｌを操作することによりシミュレーション画像の時間的な戻し動作を行うことができる。ＯＫ釦３１は、十字釦３０やコントロールダイヤル２４等によって選択された各種項目を確定するための操作部材である。
【００１９】
ライブビュー表示釦３３は、情報表示等の表示画面からライブビュー表示に切り換え、またはライブビュー表示から情報表示等の表示画面に切り換えるための操作釦である。なお、ライブビュー表示は、被写体像記録用の撮像素子２２１の出力に基づいて液晶モニタ２６に被写体像を観察用に表示するモードであり、情報表示はデジタル一眼レフカメラの撮影情報を表示設定するために液晶モニタ２６に表示されるモードである。拡大釦３４は、液晶モニタ２６に被写体像の一部分を拡大表示するための操作部材であり、前述の十字釦３０を操作することによって拡大位置を変更することができる。
【００２０】
メニュー釦３７は、このデジタル一眼レフカメラの各種モードを設定するためのメニューモードに切り換えるための操作部材であり、このメニュー釦３７の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。
【００２１】
再生釦３８は、撮影後に記録した被写体画像を液晶モニタ２６に表示させることを指示するための操作釦である。後述するＳＤＲＡＭ（Synchronous Dynamic Random Access Memory）２６７、記録媒体２７７にＪＰＥＧ等の圧縮モードで記憶されている被写体の画像データを伸張して表示する。
【００２２】
カメラ本体２００の側面には、記録媒体収納蓋４０が開閉自在に取り付けられている。この記録媒体収納蓋４０を開放すると、この内部に記録媒体２７７用の装填スロットが設けられており、記録媒体２７７はカメラ本体２００に対して、着脱自在に装填可能となっている。
【００２３】
次に、図２を用いて、デジタル一眼レフカメラの電気系を主とする全体構成を説明する。本実施形態では、交換レンズ１００とカメラ本体２００は別体で構成され、通信接点３００にて電気的に接続されているが、交換レンズ１００とカメラ本体２００を一体に構成することも可能である。なお、内蔵式のストロボ５０の回路ブロックは図２において、省略してある。
【００２４】
交換レンズ１００の内部には、焦点調節および焦点距離調節用の撮影光学系１０１と、開口量を調節するための絞り１０３が配置されている。撮影光学系１０１はレンズ駆動機構１０７によって駆動され、絞り１０３は絞り駆動機構１０９によって駆動されるよう接続されている。
【００２５】
レンズ駆動機構１０７および絞り駆動機構１０９は、それぞれレンズＣＰＵ１１１に接続されており、このレンズＣＰＵ１１１は通信接点３００を介してカメラ本体２００の通信回路２７３に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。また、レンズＣＰＵ１１１は、交換レンズ１００の開放絞り値や焦点距離情報等のレンズ固有情報や、光学系位置検出機構(不図示)によって検出された焦点距離や焦点位置情報を、カメラ本体２００に送信する。
【００２６】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。
【００２７】
このペンタプリズム２０７の出射側(図２で右側)には被写体像観察用の接眼レンズ（不図示）が配置され、この脇であって被写体像の観察に邪魔にならない位置に測光センサ２１１が配置されている。この測光センサ２１１は、測光処理回路２４１に接続され、測光センサ２１１の出力は、この測光処理回路２４１によって増幅処理やアナログ−デジタル変換等の処理がなされる。
【００２８】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図２において破線位置）、ハーフミラー部を覆う位置に回動し、可動ミラー２０１が被写体像観察位置（下降位置）にあるときには、図示する如く可動ミラー２０１に対して開いた位置にある。
【００２９】
この可動ミラー２０１は可動ミラー駆動機構２３９によって駆動されている。また、サブミラー２０３の下方には焦点検出センサ２４３が配置されており、この焦点検出センサ２４３の出力は焦点検出処理回路２４５に接続されている。焦点検出センサ２４３は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。
【００３０】
可動ミラー２０１の後方には、露光時間制御用のフォーカルプレーンタイプのシャッタ２１３が配置されており、このシャッタ２１３はシャッタ駆動機構２３７によって駆動制御される。シャッタ２１３の後方には撮像素子２２１が配置されており、撮影光学系１０１によって結像される被写体像を電気信号に光電変換する。なお、撮像素子２１１としては、ＣＣＤ（Charge Coupled Devices）またはＣＭＯＳ（Complementary
Metal Oxide Semiconductor）等の二次元撮像素子を使用できることは言うまでもない。
【００３１】
前述のシャッタ２１３と撮像素子２２１の間には、被写体光束から赤外光成分と、高周波成分を除去するための光学フィルタである赤外カットフィルタ・ローパスフィルタ２１７が配置されている。
【００３２】
撮像素子２２１は撮像素子駆動回路２２３に接続され、この撮像素子駆動回路２２３によって、撮像素子２２１から画像信号の読出し等が行われる。撮像素子駆動回路２２３は、画像信号のアナログデジタル変換を行うＡＤＣ（Analogue Digital Converter）２２５に接続されている。ＡＤＣ２２５の出力は、暗電流除去回路２２７に接続されている。暗電流除去回路２２７は、撮像素子２２１で発生する暗電流を除去するための回路であり、撮像素子２２１の周辺部の遮光領域で発生した暗電流を用いて、被写体像を表す画像データを補正する。
【００３３】
暗電流除去回路２２７は、ＡＳＩＣ（Application Specific
Integrated Circuit 特定用途向け集積回路）２５０内のデータバス２５２に接続されている。このデータバス２５２には、シーケンスコントローラ(以下、「ボディＣＰＵ」と称す)２５１、画像処理回路２５７、圧縮伸張回路２５９、ビデオ信号出力回路２６１、ＳＤＲＡＭ制御回路２６５、入出力回路２７１、通信回路２７３、記録媒体制御回路２７５、フラッシュメモリ制御回路２７９、スイッチ検知回路２８３が接続されている。
【００３４】
データバス２５２に接続されているボディＣＰＵ２５１は、このデジタル一眼レフカメラの動作を制御するものである。データバス２５２に接続された画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また圧縮伸張回路２５９はＳＤＲＡＭ２６７に記憶された画像データをＪＰＥＧやＴＩＦＦ等の圧縮方式で圧縮し、また、圧縮画像データを伸張するための回路である。なお、画像圧縮はＪＰＥＧやＴＩＦＦに限らず、他の圧縮方式も適用できる。
【００３５】
ビデオ信号出力回路２６１は液晶モニタ駆動回路２６３を介して液晶モニタ２６に接続される。ビデオ信号出力回路２６１は、ＳＤＲＡＭ２６７、記録媒体２７７に記憶された画像データを、液晶モニタ２６に表示するためのビデオ信号に変換するための回路である。液晶モニタ２６は、図１に示すように、カメラ本体２００の背面に配置されるが、撮影者が観察できる位置であれば、背面に限らないし、また液晶に限らず他の表示装置でも構わない。
【００３６】
ＳＤＲＡＭ２６７は、ＳＤＲＡＭ制御回路２６５を介してデータバス２５２に接続されており、このＳＤＲＡＭ２６７は、画像処理回路２５７によって画像処理された画像データまたは圧縮伸張回路２５９によって圧縮された画像データを一時的に記憶するためのバッファメモリである。
【００３７】
上述の撮像素子駆動回路２２３、シャッタ駆動機構２３７、可動ミラー駆動機構２３９、測光処理回路２４１、焦点検出処理回路２４５に接続される入出力回路２７１は、データバス２５２を介してボディＣＰＵ２５１等の各回路とデータの入出力を制御する。
【００３８】
レンズＣＰＵ１１１と通信接点３００を介して接続された通信回路２７３は、データバス２５２に接続され、ボディＣＰＵ２５１等とのデータのやりとりや制御命令の通信を行う。データバス２５２に接続された記録媒体制御回路２７５は、記録媒体２７７に接続され、この記録媒体２７７への画像データ等の記録及び画像データ等の読み出しの制御を行う。
【００３９】
記録媒体２７７は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００４０】
フラッシュメモリ制御回路２７９は、フラッシュメモリ（Flash Memory）２８１に接続され、このフラッシュメモリ２８１は、デジタル一眼レフカメラの動作を制御するためのプログラムが記憶されており、ボディＣＰＵ２５１はこのフラッシュメモリ２８１に記憶されたプログラムに従ってデジタル一眼レフカメラの制御を行う。なお、フラッシュメモリ２８１は、電気的に書換え可能な不揮発性メモリである。
【００４１】
レリーズ釦２１の第1ストローク（半押し）を検出する１Ｒスイッチや、第２ストローク（全押し）を検出する２Ｒスイッチ、パワースイッチ、メニュー釦３７に連動するメニュースイッチ、撮影モードダイヤル２２に連動するダイヤルスイッチ、情報設定ダイヤル２４に連動するダイヤルスイッチ、十字釦３０の各釦３０Ｕ、３０Ｄ、３０Ｒ、３０Ｌに連動するスイッチ、その他の操作部材に連動する各種スイッチを含む各種スイッチ２８５は、スイッチ検知回路２８３を介してデータバス２５２に接続されている。
【００４２】
次に、バルブ撮影における露光中の画像表示に関連する構成について、図３を用いて説明する。制御部２９７は、デジタル一眼レフカメラ全体を制御するボディＣＰＵ２５１によって構成される。撮像部２９１は、撮像素子２２１、撮像素子駆動回路２２３、ＡＤＣ回路２２５、暗電流除去回路２２７等を含み、画像信号に基づく画像データを出力する。撮像部２９１の出力は加算演算部２９２に接続されている。
【００４３】
加算演算部２９２は、ボディＣＰＵ２５１と画像処理回路２５７によって構成されており、撮像部２９１から画像データを入力すると共に、加算画像記憶部２９３の記憶領域に記憶された前回の加算画像データを入力し、両者を加算演算して新たな加算画像を生成し、加算画像記憶部２９３に出力する。加算画像記憶部２９３は、ＳＤＲＡＭ２６７等の一時記憶装置によって構成され、記憶領域Ａから記憶領域ｎｎに区分けされた多数の記憶領域を有し、各記憶領域には、それまでの加算画像データが順番に記憶される。
【００４４】
すなわち、最初の画像データを記憶領域Ａに記憶し、次に、撮像部２９１から画像データが出力されると、その画像データと記憶領域Ａに記憶されている直前の加算画像データとの加算演算値が行われ、新たな加算画像データが記憶領域Ｂに記憶される。このように、制御部２９７の制御に従って加算画像記憶部２９３には、撮像部２９１から画像データが出力されるたびに、それまでの画像データが加算演算され、記憶領域に順次、記憶される。
【００４５】
画像表示部２９６は、液晶モニタ２６、液晶モニタ駆動回路２６３等によって構成され、加算画像記憶部２９３から読み出された画像を表示する。設定部２９８は、情報設定ダイヤル２４、十字釦３０の右側釦３０Ｒ、左側釦３０Ｌ等によって構成され、バルブ撮影時にシミュレーション画像の時間的な送り動作や戻し動作を行う。画像記録部２９５は、記憶媒体２７７によって構成され、バルブ撮影の終了時に最終的な加算画像を記録する。
【００４６】
このように構成されているので、制御部２９７は、設定された更新時間間隔で、撮像部２９１から画像データを出力させ、加算演算部２９２は、この画像データと加算画像記憶部２９３に記憶されている直前の加算値とを加算演算する。そして、加算画像記憶部２９３の各記憶領域には、各画像データ出力時までの画像データの加算値が順次、記憶される。
【００４７】
加算画像記憶部２９３に記憶されている画像データに基づく画像が、画像表示部２９６に表示される。記憶領域Ａに記憶されている画像データは、一番最初の露光であることから、図１２（ａ）のように露出不足の画像であり、次に記憶される記憶領域Ｂの画像は最初の露光の画像データが加算されることから、図１２（ｂ）のように少し明るくなる。順次、画像データが累積されるたびに少しずつ明るい画像となり、記憶領域Ｆの画像は図１２（ｆ）のように適正露光に近くなり、さらに画像データの累積が続くと、記憶領域Ｇに記憶された図１２（ｈ）のように露出過多の画像となる。
【００４８】
また、本実施形態においては、バルブ撮影時のシミュレーション画像の表示を行う。すなわち、バルブ撮影時に、情報設定ダイヤル２４を回転操作させると、または十字釦３０の右側釦３０Ｒまたは左側釦３０Ｌを操作すると、制御部２９７は、そのときの最新の加算画像を用い、情報設定ダイヤル２４等の操作に応じた将来のタイミングにおけるシミュレーション画像を求め、図１１や図１３に示すように、画像表示部２９６に表示する。情報設定ダイヤル２４等を更に回転操作させると、シミュレーション画像の時間的な送りまたは戻しを行うことができる。
【００４９】
次に、本発明の一実施形態におけるデジタル一眼レフカメラの動作の詳細について図４乃至図８に示すフローチャートを用いて説明する。図４は、カメラ本体２００側のボディＣＰＵ２５１によるパワーオンリセットの動作である。カメラ本体２００に電池が装填されると、このフローがスタートし、カメラ本体２００のパワースイッチがオンであるか否かを判定する（＃１）。
【００５０】
判定の結果、パワースイッチがオフの場合には、低消費電力の状態であるスリープ状態となる（＃３）。このスリープ状態ではパワースイッチがオンとなった場合のみに割り込み処理を行い、ステップ＃５以下においてパワースイッチオンのための処理を行う。パワースイッチがオンとなるまでは、パワースイッチ割り込み処理以外の動作を停止し、電源電池の消耗を防止する。ステップ＃１において、パワースイッチがオンであった場合、またはステップ＃３におけるスリープ状態を脱した場合には、電源供給を開始する（＃５）。
【００５１】
次に、撮影モードダイヤル２２によって設定された撮影モードや、情報設定ダイヤル２４によって設定されたＩＳＯ感度、マニュアル設定されたシャッタ速度や絞り値等の情報があればそれらの撮影条件、およびレンズ情報の読み込みを行う（＃７）。レンズ情報の読み込みは、レンズＣＰＵ１１１から通信回路２７３を介して交換レンズ１００の開放絞り値や焦点距離情報等のレンズ固有情報の読み込みを行う。このステップで、バルブモードが設定されている場合には、この情報が読み込まれる。
【００５２】
続いて、バルブモードが設定されたか否かの判定を行う（＃９）。ステップ＃７において撮影モードを読み込んでいることから、読み込まれた撮影モードとしてバルブモードが設定されたか否かの判定を行う。判定の結果、バルブモードが設定されていなかった場合には、測光・露光量演算を行なう（＃１１）。このステップでは、測光センサ２１１によって被写体輝度を測光し、露光量を演算し、この露光量を用いて撮影モード・撮影条件に従ってシャッタ速度や絞り値等の露光制御値の演算を行う。
【００５３】
ステップ＃９における判定の結果、バルブモードが設定されていた場合には、更新時間（画像データを繰り返し出力する周期）の入力を行う（＃３１）。この更新時間の入力については、図５を用いて後述する。更新時間の入力が終わると、ステップ＃１３にジャンプする。バルブモードの場合には、測光に係わりなくユーザー操作によってシャッタ２１３の開閉が行われることから、ステップ＃１１の測光・露光量演算は実行されない。
【００５４】
次に、撮影情報を液晶モニタ２６に表示する（＃１３）。撮影情報としては、ステップ＃７において読み込んだ撮影モード・撮影条件等と、ステップ＃１１において演算したシャッタ速度や絞り値の露出制御値等である。撮影モードとして、バルブモードが設定された場合には、図９に示すように、バルブモード表示３０１や更新時間表示３０２が、他の撮影情報と共に、液晶モニタ２６上に表示される。
【００５５】
撮影情報の表示を行うと、次に、再生釦３８に連動する再生スイッチがオンか否かの判定を行う（＃１７）。再生モードは、再生釦３８が操作された際に、記録媒体２７７に記録された画像データを読み出して液晶モニタ２６に表示するモードである。判定の結果、再生スイッチがオンの場合には、再生動作を実行する（＃３３）。
【００５６】
ステップ＃１７における判定の結果、再生スイッチがオンではなかった場合には、メニュー釦３７に連動するメニュースイッチがオンか否かの判定を行なう（＃１９）。このステップでは、メニュー釦３７が操作され、メニューモードが設定されたか否かを判定する。判定の結果、メニュースイッチがオンであった場合には、液晶モニタ２６にメニュー表示し、メニュー設定動作を行う（＃３５）。メニュー設定動作によって、ＡＦモード、ホワイトバランス、ＩＳＯ感度設定、ドライブモードの設定等、各種の設定動作を行うことができる。
【００５７】
ステップ＃１９における判定の結果、メニュースイッチがオンでなかった場合には、レリーズ釦２１が半押しされたか、すなわち、１Ｒスイッチがオンか否かの判定を行う。判定の結果、１Ｒスイッチがオンであった場合には、撮影準備と撮影を行う撮影動作のサブルーチンを実行する（＃３７）。このサブルーチンの詳細は図６を用いて後述する。
【００５８】
ステップ＃２１における判定の結果、１Ｒスイッチがオンでなかった場合には、ステップ＃１と同様に、パワースイッチがオンか否かの判定を行なう（＃２３）。判定の結果、パワースイッチがオンであった場合には、ステップ＃７に戻り、前述の動作を繰り返す。一方、パワースイッチがオンではなかった場合には、電源供給を停止し（＃２５）、ステップ＃３に戻り、前述のスリープ状態となる。
【００５９】
次に、ステップ＃３１の更新時間の入力動作について、図５を用いて説明する。このサブルーチンに入ると、まず、更新時間を入力するために、情報設定ダイヤル２４が操作されたか否かの判定を行う（＃４５）。判定の結果、情報設定ダイヤル２４が操作されていなかった場合には、元のルーチンに戻る。一方、情報設定ダイヤル２４が操作されていた場合には、スイッチ検知回路２８３はその回転方向を検出する（＃４７）。
【００６０】
続いて、検出された回転方向が更新時間を減少させる方向か否かの判定を行う（＃４９）。判定の結果、更新時間を減少させる回転方向の場合には、前回の更新時間が下限値に達しているか否かの判定を行う（＃５１）。下限値は、適宜設定すればよいが、例えば０．１秒程度であればよい。判定の結果、下限値に達していなかった場合には、現在の設定状態から順に所定のステップで更新時間を短くする（＃５３）。
【００６１】
更新時間は、図９に示したように、液晶モニタ２６上の撮影情報中に更新表示３０２として表示されるが、情報設定ダイヤル２４によって更新時間を短くする方向に回転操作させるたびに、例えば、現在の設定状態が初期値の３０秒であれば、図１０の（ｃ）から（ａ）の下限値の方向に向け、所定のステップで徐々に減少する。このステップは、使い勝手を考慮して適宜決定すれば良い。更新時間短縮が終わると、元のルーチンに戻る。
【００６２】
ステップ＃４９における判定の結果、減少方向でなかった場合には、前回の更新時間が上限値に達しているか否かの判定を行う（＃５５）。上限値は適宜設定すればよいが、例えば、暗電流の影響を受けない時間程度として、９分としてもよい。判定の結果、上限値に達していなかった場合には、所定のステップで更新時間を延ばす（＃５７）。情報設定ダイヤル２４によって更新時間を長くする方向に回転操作させるたびに、現在の状態から図１０の（ｅ）の上限値の方向に向け、所定のステップで徐々に増加する。更新時間伸長が終わると、元のルーチンに戻る。なお、この更新時間間隔は一例であり、適宜変更できる。
【００６３】
次に、ステップ＃３７における撮影動作について、図６を用いて説明する。このサブルーチンは、１Ｒスイッチがオンになるとスタートし、まず、液晶モニタ２６に表示されている撮影情報をオフする（＃６１）。続いて、位相差ＡＦ制御のサブルーチンを実行する（＃６３）。このサブルーチンでは、公知の位相差ＡＦにより撮影光学系１０１の焦点ズレ方向および焦点ズレ量を検出し、この焦点ズレ方向・焦点ズレ量に基づいて光学系駆動機構１０７の駆動制御を行い、撮影光学系１０１のピント合わせを行う。
【００６４】
位相差ＡＦが終わると、ステップ＃９と同様に、バルブモードが設定されているか否かを判定する（＃６５）。判定の結果、バルブモードが設定されていなかった場合には、測光・露光量演算を行い、シャッタ速度や絞り値等の露出制御値を求める（＃６７）。一方、判定の結果バルブモードが設定されていた場合には、ステップ＃６７をスキップし、ステップ＃６９に進む。バルブモードの場合には、前述したように、シャッタ２１３の開閉時間は撮影者によって決められ、測光および露光量演算は不要のためである。
【００６５】
続いて、シャッタ釦２１が全押しされたか、すなわち、２Ｒスイッチがオンか否かを判定する（＃６９）。判定の結果、２Ｒスイッチがオンとはなっていなかった場合には、１Ｒスイッチがオンか否かを判定する（＃８７）。判定の結果、１Ｒスイッチがオンではなかった場合には、撮影動作を終了して、元のルーチンに戻る。一方、判定の結果、１Ｒスイッチがオンの場合には、ステップ＃６９に戻り、１Ｒスイッチと２Ｒスイッチの状態を検出する待機状態となる。
【００６６】
ステップ＃６９における判定の結果、２Ｒスイッチがオンとなると、撮影を行なうためのステップに移る。まず、可動ミラー２０１の退避動作（上昇位置へ移動）を行う（＃７１）。これによって、撮影光学系１０１による被写体光束が撮像素子２２１の方向に導かれる。続いて、レンズＣＰＵ１１１に絞込み動作を指示し、絞り１０３の絞り込み動作を実行させる（＃７３）。
【００６７】
これで、通常の撮影動作もしくはバルブ撮影動作に入る準備ができたので、露光動作を開始する（＃７５）。露光は、シャッタ２１３の先幕の走行を開始させると共に、撮像素子２２１の電荷蓄積を開始する。ステップ＃６７で求められたシャッタ速度もしくは撮影者によって手動設定されたシャッタ速度に対応する時間が経過すると、シャッタ２１３の後幕の走行を開始させると共に、撮像素子２２１の電荷蓄積を終了する。
【００６８】
ここで、バルブモードが設定されていた場合には、レリーズ釦２１が全押しされている間、シャッタ２１３を開放状態とし、この間、撮像素子２２１によって更新時間間隔で繰り返し画像データを取得し、この画像データに基づく加算画像を液晶モニタ２６に更新しながら表示する。この露光動作の詳細は図７を用いて後述する。
【００６９】
露光動作が終了すると、絞り１０３の開放指示をレンズＣＰＵ１１１に出力し、絞り１０３を開放し（＃７７）、可動ミラー２０１を下降位置へと復帰動作を行う（＃７９）。続いて、撮像素子２２１から読み出されて、一時的にＳＤＲＡＭ２６７に記憶されている通常の画像もしくは加算画像のデータの画像処理を行う（＃８１）。画像処理された画像データを記録媒体２７７に記録し（＃８３）、液晶モニタ２６に表示していた画像の表示を停止する（＃８５）。画像表示を停止させると、元のルーチンに戻る。
【００７０】
次に、ステップ＃７５における露光動作について、図７を用いて説明する。このサブルーチンに入ると、まず、ステップ＃９と同様に、バルブモードが設定されているか否かを判定する（＃１０１）。判定の結果、バルブモードが設定されていなかった場合には、プログラム撮影モード等の通常の撮影モードを実行する。
【００７１】
通常の撮影モードとして、まず、露光時間計時用のタイマーをスタートさせ（＃１０３）、シャッタ２１３の開放と共に撮像素子２２１に撮像を開始させる（＃１０５）。すなわち、撮像素子２２１上に結像している被写体像の光電変換を行い、信号電荷の蓄積を開始させる。ステップ＃６７で演算された、もしくは手動設定されたシャッタ速度に対応する露光時間(設定秒時)が経過したか否かを判定する（＃１０７）。判定の結果、露光時間が経過すると、シャッタ２１３を閉じると共に撮像素子２２１における撮像を停止する（＃１０９）。
【００７２】
続いて、撮像素子２２１から画像信号の読み出しを行い（＃１１１）、この読み出された画像信号をＳＤＲＡＭ２６７に一時蓄積する（＃１１３）。この一時蓄積された画像信号に基づいて、液晶モニタ２６に撮影画像の表示を行う（＃１１５）。
【００７３】
ステップ＃１０１における判定の結果、バルブモードが設定されていた場合には、はじめに、加算画像記憶部２９３内に用意された加算画像記憶領域のすべてをクリアし（＃１１９）、ステップ＃３１において手動入力された更新時間を設定する（＃１２０）。続いて、表示の更新時間計時用のタイマーをスタートさせ（＃１２１）、再生中フラグに０を設定する（＃１２２）。
【００７４】
再生中フラグはバルブ撮影中にシミュレーション画像が再生中であるかどうかを識別するためのフラグであり、再生中の場合には“１”が設定され、非再生中の場合（この場合には、加算画像が表示されている）には“０”が設定されている。再生中フラグをリセットすると、次に、ステップ＃１０５と同様に、シャッタ２１３を開放すると共に撮像を開始する（＃１２３）。
【００７５】
撮像を開始すると、次に、十字釦３０または情報設定ダイヤル２４が操作されたか否かの判定を行う（＃１２４）。この判定の結果、十字釦３０および情報設定ダイヤル２４のいずれも操作されていなかった場合には、ステップ＃１２６にジャンプする。一方、十字釦３０等のいずれかが操作されていた場合には、シミュレーション画像の生成を行う（＃１２５）。このシミュレーション画像は、将来のタイミングにおける予測画像を、現在の加算画像を処理することにより生成する。このシミュレーション画像の生成の動作については、図８を用いて後述する。
【００７６】
続いて、更新時間計時用のタイマーが、ステップ＃１２０において設定された更新時間を経過した否かの判定を行う（＃１２６）。判定の結果、更新時間が経過していなかった場合には、レリーズ釦２１の全押しが解除されたか、すなわち、２Ｒスイッチがオフとなったか否かを判定する（＃１５１）。２Ｒスイッチがオンで更新時間が経過していない場合には、ステップ＃１２６とステップ＃１５１を繰り返し判定する待機状態となる。
【００７７】
ステップ＃１２６における判定の結果、更新時間が経過すると、シャッタ２１３は開のまま撮像素子２２１の撮像を停止し、画像信号の読み出しを行う（＃１２７、＃１２９）。続いて、更新時間計時用のタイマーを再スタートさせ（＃１３１）、撮像素子２２１に撮像を開始させる（＃１３３）。
【００７８】
次に、加算画像記憶部２９３で直前に記憶された記憶領域から加算画像データを読み出し、この画像データとステップ＃１２９において読み出された画像データの加算演算を行う（＃１３５）。ここで得られた加算画像の画像データを、加算画像記憶部２９３で直前に読み出された記憶領域に隣接する記憶領域に記憶する（＃１３７）。
【００７９】
次に、シミュレーション画像の再生中であるか否かの判定を行う（＃１３８）。ステップ＃１２５のシミュレーション画像生成のサブルーチンでシミュレーション画像を再生した場合があり、この場合には、再生中フラグに“１”が設定されていることから、このステップ＃１３８では、再生中フラグに基づいて判定する。
【００８０】
ステップ＃１３８における判定の結果、シミュレーション画像の再生中であった場合には、ステップ＃１２４に戻り、前述の動作を実行する。したがって、シミュレーション画像の再生中には、ステップ＃１３５で加算演算した最新の加算画像を表示することなく、ステップ＃１２４に戻る。一方、ステップ＃１３８における判定の結果、シミュレーション画像の再生中でなかった場合には、ステップ＃１３７において記憶された加算画像を液晶モニタ２６に表示してから（＃１３９）、ステップ＃１２４に戻り、前述のステップを実行する。
【００８１】
ステップ＃１５１における判定の結果、レリーズ釦２１の全押しが解除されると、すなわち、２Ｒスイッチがオフになったと判定されると、シャッタ２１３を閉じると共に撮像を停止する(＃１５３)。すなわち、露光動作を終了し、この後、元のルーチンに戻る。
【００８２】
このように、ステップ＃３１（＃１２０）で設定された更新時間が経過するたびに（＃１２６→Ｙ）、撮像素子２２１での撮像が停止され、画像データが出力され、この画像データと加算画像記憶部２９３の記憶領域に記憶されている直前の加算画像との加算画像が求められ、順次記憶されていく。この加算画像は、最初に更新時間が経過した時点では、露光時間が短いため、全体に暗い画像であるが、更新時間が経過するたびに、画像データが累積加算されることから、次第に明るい画像となる。
【００８３】
次に、ステップ＃１２５におけるシミュレーション画像生成のサブルーチンについて、図８に示すフローチャートを用いて説明する。このフローに入ると、まず、十字釦３０または情報設定ダイヤル２４が操作されたか否かの判定を行う（＃２０１）。本実施形態においては、十字釦３０の右側釦３０Ｒまたは情報設定ダイヤル２４を右側に回転操作させると、その操作量に応じて未来のタイミングにおけるシミュレーション画像を生成する。また、十字釦３０の左側釦３０Ｌまたは情報設定ダイヤル２４を左側に回転操作させると、未来のタイミングから現時点に向けてシフトしてシミュレーション画像を生成する。
【００８４】
ステップ＃２０１における判定の結果、十字釦３０および情報設定ダイヤル２４が操作されていなかった場合には、何もすることなくそのまま、元のフローに戻る。一方、操作されていた場合には、十字釦３０の右側釦３０Ｒ、または情報設定ダイヤル２４が右側に回転操作されたか否かを判定する（＃２０３）。ステップ＃２０３における判定の結果、右側釦３０Ｒまたは情報設定ダイヤル２４が右側に回転操作されていた場合には、シミュレーション画像の再生中か否かを、再生中フラグを検出することによって判定する（＃２０５）。
【００８５】
ステップ＃２０５における判定の結果、シミュレーション画像の再生中ではなかった場合には、初めて十字釦３０が操作されたことから、再生画像数（Ｊ）に“１”を設定し（＃２１９）、ステップ＃２１３に進む。また、ステップ＃２０５における判定の結果、シミュレーション画像の再生中であった場合には、再生画像数（Ｊ）に１を加算する（＃２０７）。続いて、再生画像数（Ｊ）が上限値に達しているかを判定する（＃２０９）。判定の結果、上限に達していない場合には、ステップ＃２１３に進み、一方、上限に達していた場合には、再生画像数（Ｊ）に上限値を設定する（＃２１１）。
【００８６】
続いて、最新の加算画像をＪ回加算する（＃２１３）。すなわち、このステップでは、ステップ＃１３７において蓄積された加算画像をＪ回加算することにより、未来におけるタイミングでの加算画像をシミュレーションする。続いて、再生フラグに“１”を設定し（＃２１５）、ステップ＃２１３において生成されたシミュレーション画像の表示を行い（＃２１７）、元のフローに戻る。
【００８７】
ステップ＃２０３における判定の結果、操作されたのが右側釦３０Ｒでも情報設定ダイヤル２４の右側回転でなかった場合には、操作されたのが左側釦３０Ｌまたは情報設定ダイヤル２４の左側回転であると判断され、この場合には、ステップ＃２０５と同様に、シミュレーション画像の再生中か否かの判定を行う（＃２２１）。
【００８８】
ステップ＃２２１における判定の結果、シミュレーション画像の再生中ではなかった場合には、ステップ＃２２７にジャンプする。また、ステップ＃２２１における判定の結果、シミュレーション画像の再生中であった場合には、再生画像数（Ｊ）に１を減算する（＃２２３）。続いて、再生画像数（Ｊ）が１未満か否かを判定する（＃２２５）。
【００８９】
ステップ＃２２５における判定の結果、１未満でなかった場合には、ステップ＃２１３にジャンプする。一方、１未満であった場合には、最新の加算画像に改定し（＃２２７）、再生フラグに“０”を設定し（＃２２９）、ステップ＃２１７においてステップ＃２２７における加算画像を表示してから、元のフローに戻る。
【００９０】
このように、シミュレーション画像生成のサブルーチンにおいては、十字釦３０または情報設定ダイヤル２４の操作に応じて、未来のタイミングにおけるシミュレーション画像を生成し、表示を行う。すなわち、右側釦３０Ｒが１回分操作された場合、または情報設定ダイヤル２４が右側に１回分操作された場合には、ステップ＃１３７において記憶された直近の加算画像を１回分加算する。
【００９１】
例えば、図１１において、（ａ）はバルブ撮影を開始した時点における加算画像であり、（ｂ）は更新された加算画像を示す。この（ｂ）における状態で、右側釦３０Ｒが１回分操作、または情報設定ダイヤル２４が右側に１回分、回転操作されると、（ｂ）における加算画像が１回分加算され、（ｃ）に示すようなシミュレーション画像が表示される。さらに、右側釦３０Ｒ等が１回分操作されると、（ｄ）に示すように、（ｂ）における加算画像が３回分加算されたシミュレーション画像が表示される。右側釦３０Ｒ等がさらに操作されると、そのたびに（ｅ）、（ｆ）、（ｇ）、（ｈ）とシミュレーション画像が生成され、表示される。
【００９２】
また、シミュレーション画像の表示にあたっては、シミュレーション画像に重畳して未来タイミング表示３１１が表示される。図１１（ｂ）は、最初の更新時間経過時であることから、×１の表示がなされ、図１１（ｃ）の未来タイミング表示３１１は、図１１（ｂ）の加算画像を２回加算し、更新時間２回分経過時（×２）のシミュレーション画像を示している。図１１（ｄ）の未来タイミング表示３１１は、図１１（ｂ）の加算画像を３回加算し、更新時間３回分経過時（×３）のシミュレーション画像であることを示している。
【００９３】
図１１（ｅ）（ｆ）（ｇ）（ｈ）の未来タイミング表示３１１も、同様に、更新時間４回、５回、６回、７回分経過時の予想であることを表している。このように、未来タイミング表示３１１が表示されることから、撮影者は、未来のいづれのタイミングで適正露光になるかを容易に想定することができる。
【００９４】
図１３（ｂ）は、２回目の更新時間経過時であることから、未来タイミング表示３１１は、×２の表示を行っている。図１３（ｃ）は、図１３（ｂ）の加算画像を２回加算し、更新時間４回分経過時（×４）のシミュレーション画像を示しており、未来タイミング表示３１１は、更新時間４回分経過時の予想であることを示している。図１３（ｄ）（ｅ）の未来タイミング表示３１１も、同様に、更新時間６回、８回分経過時の予想であることを表している。
【００９５】
また、左側釦３０Ｌが操作され、または情報設定ダイヤル２４が左側に回転操作された場合には、未来のタイミングに進んだシミュレーション画像が現時点側に向けて戻るシミュレーション画像を生成することになる。この場合、左側釦３０Ｌまたは情報設定ダイヤル２４によって１回分、再生画像数（Ｊ）から減算されるたびに、ステップ＃２１３においてＪ回分、加算したシミュレーション画像を生成し、ステップ＃２１７においてこのシミュレーション画像を表示する。
【００９６】
例えば、図１１（ｈ）における状態から、左側釦３０Ｌが１回分操作、または情報設定ダイヤル２４が左側に１回分、回転操作されると、図１１（ｇ）におけるシミュレーション画像に戻り、左側釦３０Ｌ等が１回分操作されるたびに、（ｆ）、（ｅ）、（ｄ）、（ｃ）と戻る。左側釦３０Ｌが操作され、再生画像数（Ｊ）が１未満となると、ステップ＃２２７において最新の加算画像に改定して、表示される。
【００９７】
シミュレーション画像の再生中に更新時間が経過した場合であっても最新の加算画像に更新されないが（＃１３８Ｙ→＃１２４に進み、＃１３９において加算画像を表示しない）、再生画像数（Ｊ）が１未満となることにより、シミュレーション画像の再生表示が終了し、最新の加算画像が表示される。シミュレーション画像の表示中に、シミュレーション画像の生成の基礎となる加算画像を変更すると、シミュレーション画像も変わり、撮影者に混乱を与えるからである。
【００９８】
また、図１３の例の場合でも、図１１の場合と同様に、左側釦３０Ｌ等が１回分操作されるたびに、現時点の加算画像に向けてシミュレーション画像が戻される。
【００９９】
以上、説明したように、本発明の一実施形態においては、バルブ撮影等の長時間露光の際に、繰り返し撮像動作を実行し、このとき十字釦３０等の手動操作部材が操作されると（＃２０１）、それまでの加算画像に基づいて未来のタイミングにおける加算画像をシミュレートした画像を生成し（＃２１３）、このシミュレーション画像を液晶モニタ２６に表示している（＃２１７）。このため、シミュレーション画像を観察することにより、バルブ撮影等の長時間露出において、露光時間の予測を立てることが容易となる。
【０１００】
なお、本実施形態においては、シミュレーション画像を表示させるための手動操作部材として、十字釦３０と情報設定ダイヤル２４を用いていたが、これに限らず、例えば、いずれか一方だけでも良く、また、これ以外の操作部材で兼用するようにしても良く、さらに、専用の手動操作部材を設けても良い。
【０１０１】
また、本実施形態においては、シミュレーション画像の生成にあたって、最新の加算画像を再生画像数（Ｊ）回、加算していたが、画像数（Ｊ）は整数に限らず、小数を含んでも良く、また、加算に限らず、乗算によりシミュレーション画像を生成するようにしても良い。
【０１０２】
さらに、本実施形態においては、シミュレーション画像の生成にあたって、再生画像数（Ｊ）が上限に達したか否かを判定していたが（＃２０９）、これに限らず、シミュレーション画像における未来のタイミングが、バルブ撮影の最長時間を越えるか否かを判定するようにしても良い。
【０１０３】
さらに、本実施形態においては、未来タイミング表示３１１は、１回の更新時間を基準に何倍であるかを表示していたが、これに限らず、現時点までの経過時間の何倍であるかを表示しても良く、また、現時点からの経過秒時を表示する等、種々の表示を行うことができる。
【０１０４】
さらに、本実施形態においては、バルブモードが設定されると、レリーズ釦２１が全押しされ、この全押しが解除されるまで、すなわち、２Ｒスイッチがオンの間だけ、シャッタが開放され、撮像動作を行っていた。しかし、このやり方以外にも、例えば、レリーズ釦２１が全押し（第１のレリーズ操作）された際に撮像動作を開始し、レリーズ釦２１の全押しが解除されても撮像動作を続け、再びレリーズ釦２１が全押し（第１のレリーズ操作の後に行われる第２のレリーズ操作）された際に撮像動作を停止するようにしてもよい。
【０１０５】
さらに、本実施形態において、バルブ撮影時でのシミュレーション画像の生成と表示について説明したが、これに限らず、長秒時撮影の場合にも適用することができる。長秒時撮影の場合には、ステップ＃１５１（図７）において、２Ｒスイッチを判定するのではなく、設定された長秒時が経過したか否かを判定すれば良い。
【０１０６】
なお、本実施形態において、露光動作を終了する場合に、ステップ＃１５３(図７)において、撮像を停止すると、元のルーチンに戻っている。しかし、このとき、撮像部２９１は撮像素子２２１に信号電荷が蓄積されていることから、この信号を読み出し、加算画像を生成し、表示するようにしてもよい。
【０１０７】
さらに、本実施形態においては、更新時間はステップ＃３１において、手動で設定するようにしていたが、これに限らず、被写体の輝度に応じて、例えば、輝度が高い場合には更新時間を短く、逆に輝度が低い場合には更新時間を長くするなど、自動的に設定するようにしても勿論かまわない。
【０１０８】
さらに、本実施形態においては、デジタルカメラとして一眼レフタイプに適用した例を説明したが、本発明は一眼レフタイプ以外のコンパクトタイプ等のデジタルカメラでもよく、また、携帯電話や携帯情報端末（ＰＤＡ：Personal
Digital Assist）等に内蔵されるカメラでも勿論構わない。バルブモードや長秒時撮影が可能な撮像装置であれば、本発明を適用することができる。
【０１０９】
以上、本発明の一実施形態を用いて説明したが、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。
【図面の簡単な説明】
【０１１０】
【図１】本発明の一実施形態に係わるデジタル一眼レフカメラを背面から見た外観斜視図である。
【図２】本発明の一実施形態に係わるデジタル一眼レフカメラの電気系の全体構成を示すブロック図である。
【図３】本発明の一実施形態に係わるデジタル一眼レフカメラにおいて、バルブモード等の撮像および表示に関連する構成を抽出して示したブロック図である。
【図４】本発明の一実施形態におけるパワーオンリセットの動作を示すフローチャートである。
【図５】本発明の一実施形態における更新時間入力の動作を示すフローチャートである。
【図６】本発明の一実施形態における撮影動作を示すフローチャートである。
【図７】本発明の一実施形態における露光動作を示すフローチャートである。
【図８】本発明の一実施形態におけるシミュレーション画像作成の動作を示すフローチャートである。
【図９】本発明の一実施形態に係わるデジタル一眼レフカメラの撮影情報表示を示す図である。
【図１０】本発明の一実施形態に係わるデジタル一眼レフカメラの更新表示を示す図であり、（ａ）から（ｅ）はそれぞれ異なる更新時間の表示を示す。
【図１１】本発明の一実施形態におけるバルブモード撮影時におけるシミュレーションによる予測画像を示す図であり、（ａ）はスタート時の画像であり、（ｂ）は基準となる加算画像であり、（ｃ）〜（ｈ）は将来のタイミングにおけるシミュレーション画像である。
【図１２】本発明の一施形態におけるバルブモード撮影時の表示を示す図であり、（ａ）から（ｈ）は更新時間の経過に伴って変化する表示を示す。
【図１３】本発明の一実施形態におけるバルブモード撮影時におけるシミュレーションによる予測画像を示す図であり、（ａ）はスタート時の画像であり、（ｂ）は基準となる加算画像であり、（ｃ）〜（ｅ）は将来のタイミングにおけるシミュレーション画像である。
【符号の説明】
【０１１１】
２１・・・レリーズ釦、２２・・・撮影モードダイヤル、２４・・・情報設定ダイヤル、２６・・・液晶モニタ、２７・・・連写／単写釦、２８・・・ＡＦロック釦、３０・・・十字釦、３０Ｕ・・・アップ用十字釦、３０Ｄ・・・ダウン用十字釦、３０Ｒ・・・右側釦、３０Ｌ・・・左側釦、３１・・・ＯＫ釦、３３・・・ライブビュー表示釦、３４・・・拡大釦、３７・・・メニュー釦、３８・・・再生釦、４０・・・メディア装填蓋、５０・・・ストロボ、１００・・・交換レンズ、１０１・・・撮影光学系、１０３・・・絞り、１０７・・・光学系駆動機構、１０９・・・絞り駆動機構、１１１・・・レンズＣＰＵ、２００・・・カメラ本体、２０１・・・可動ミラー、２０３・・・サブミラー、２０５・・・フォーカシングスクリーン、２０７・・・ペンタプリズム、２１１・・・測光センサ、２１３・・・フォーカルプレーンシャッタ、２１７・・・赤外カットフィルタ・ローパスフィルタ、２２１・・・撮像素子、２２３・・・撮像素子駆動回路、２２５・・・ＡＤＣ回路、２２７・・・暗電流除去回路、２３７・・・シャッタ駆動機構、２３９・・・可動ミラー駆動機構、２４１・・・測光処理回路、２４３・・・焦点検出センサ、２４５・・・焦点検出処理回路、２５０・・・ＡＳＩＣ、２５１・・・シーケンスコントローラ（ボディＣＰＵ）、２５２・・・データバス、２５７・・・画像処理回路、２５９・・・圧縮伸張回路、２６１・・・ビデオ信号出力回路、２６３・・・液晶モニタ駆動回路、２６５・・・ＳＤＲＡＭ検知回路、２６７・・・ＳＤＲＡＭ、２７１・・・入出力回路、２７３・・・通信回路、２７５・・・記録媒体制御回路、２７７・・・記録媒体、２７９・・・フラッシュメモリ制御回路、２８１・・・フラッシュメモリ、２８３・・・スイッチ検知回路、２８５・・・各種スイッチ、２９１・・・撮像部、２９２・・・加算演算部、２９３・・・加算画像記憶部、２９５・・・画像記録部、２９６・・・画像表示部、２９７・・・制御部、２９８・・・設定部、３００・・・通信接点、３０１・・・バルブモード表示、３０２・・・更新時間表示、３１１・・・未来タイミング表示
【図１】
0005058045.tif 000002
【図２】
0005058045.tif 000003
【図３】
0005058045.tif 000004
【図４】
0005058045.tif 000005
【図５】
0005058045.tif 000006
【図６】
0005058045.tif 000007
【図７】
0005058045.tif 000008
【図８】
0005058045.tif 000009
【図９】
0005058045.tif 000010
【図１０】
0005058045.tif 000011
【図１１】
0005058045.tif 000012
【図１２】
0005058045.tif 000013
【図１３】
0005058045.tif 000014